(57)【要約】【課題】壁面あるいは天井面に固定される取付ベースと、この取付ベースに着脱自在に装着される感知ヘッドとからなり、アンテナがカバー部から突出しているワイヤレス感知器において、感知ヘッドが衝撃を受けても、取付ベースから脱落しないようにする。【解決手段】カバー部１２のアンテナ１７近傍の内周面と、ガイド部２３の外周面の対応した位置とに、感知ヘッド１１の逆回動を防止する係止手段２を設けた。【選択図】図４
2010191703.tif 000002
【特許請求の範囲】
【請求項１】
円筒形のカバー部を有した感知ヘッドと、円筒形のガイド部を有した取付ベースとからなり、前記カバー部には、他の装置と通信するためのアンテナを突出させ、更に前記カバー部が前記ガイド部に外嵌した状態となるようにして、前記感知ヘッドを前記取付ベースに被せて一方向に回動させると、前記感知ヘッドと前記取付ベースとが係合保持される構造にしたワイヤレス感知器において、
前記カバー部の前記アンテナ近傍の内周面と、その箇所に対応した前記ガイド部の外周面には、前記感知ヘッドの逆回動を阻止する係止手段を対応させて設けていることを特徴とするワイヤレス感知器。
【請求項２】
請求項１において、
前記係止手段は、前記感知器ヘッドの前記カバー部に外力を受けたときには、前記カバー部の弾性変形によって、前記カバー部側に設けた係止手段が、前記ガイド部側に設けた係止手段に係合して、前記逆回動を阻止する構造としているワイヤレス感知器。
【請求項３】
請求項１または２において、
前記カバー部側に設けた係止手段が凸部として形成され、かつ
前記ガイド部側に設けた係止手段が、前記凸部を受け入れる凹部として形成されているワイヤレス感知器。
【発明の詳細な説明】
【技術分野】
【０００１】
本発明は、壁面あるいは天井面に固定される取付ベースと、この取付ベースに着脱自在に装着される感知ヘッドとからなる感知器の改良に関する。
【背景技術】
【０００２】
上記のような感知器の従来例として、例えば次の特許文献１に、感知ヘッドを取付ベースに被せて所定方向に回動させると係合保持される構造の感知器が記載されている。この構造では、感知ヘッドを取付ベースに係合保持させる手段として、感知ヘッドのカバー部の周縁部より内方に向けて突出する係合凸部と、取付ベースの周壁外面にその係合凸部に対応した凹部と、この凹部に隣接した係合凹部とを有している。このような仕組みとすれば、取付ベースを壁面あるいは天井面に予めネジ止めし、そこに感知ヘッドを被せて所定方向に回動させるだけで施工できるので、一般ユーザでも簡単に作業できる。
【０００３】
また、近年、次の非特許文献１のように、連動して警報する複数のワイヤレス感知器からなるシステムも開発されている。このシステムの感知器は、上記特許文献１と同様、取付ベースと、その取付ベースに係合保持される感知ヘッド部とで構成されているが、更に、無線通信用のアンテナが、感知ヘッドから外部に突出している点に構造的な特徴がある。
【先行技術文献】
【特許文献】
【０００４】
【特許文献１】特開10-105848公報
【非特許文献】
【０００５】
【非特許文献１】http://denko.panasonic.biz/Ebox/jukeiki/shouhin/denchi_wireless.html
【発明の概要】
【発明が解決しようとする課題】
【０００６】
上記特許文献１では、係合凸部と係合凹部とが相互に噛み合うように形状を工夫することで、取付ベースからヘッド部が容易に脱落しないようにしている。ところが非特許文献１のように、外部に突出したアンテナを備えた感知器では、ユーザが誤って清掃道具等の器物を感知器、特にアンテナ部分に衝突させてしまうと、その衝撃が感知ヘッドの取り外し方向に作用して、感知ヘッドが脱落してしまう虞がある。このような事故を防止するには、まず、係合凸部と係合凹部との噛み合いを強化することが考えられる。しかしながら、係合凸部と係合凹部との噛み合いを強化すると、感知ヘッドの装着時、あるいは取り外しの際に余分な力が必要になり、作業性が悪化してしまう。また、そのようにしたとしても、感知ヘッドの脱落を確実に防止することは困難である。
【０００７】
そこで、本発明は、感知ヘッドが衝撃を受けても、取付ベースから脱落しないようにした新規な構造の感知器を提供することを課題とする。
【課題を解決するための手段】
【０００８】
本発明は、円筒形のカバー部を有した感知ヘッドと、円筒形のガイド部を有した取付ベースとからなり、前記カバー部には、他の装置と通信するためのアンテナを突出させ、更に前記カバー部が前記ガイド部に外嵌した状態となるようにして、前記感知ヘッドを前記取付ベースに被せて一方向に回動させると、前記感知ヘッドと前記取付ベースとが係合保持される構造にしたワイヤレス感知器において、前記カバー部の前記アンテナ近傍の内周面と、その箇所に対応した前記ガイド部の外周面には、前記感知ヘッドの逆回動を阻止する係止手段を対応させて設けていることを特徴とする。
【０００９】
なお、前記係止手段は、前記感知器ヘッドの前記カバー部に外力を受けたときには、前記カバー部の弾性変形によって、該カバー部側に設けた係止手段が前記ガイド部側に設けた係止手段に係合して、前記逆回動を阻止する構造としてもよい。
【００１０】
また、前記カバー部側に設けた係止手段は凸部として形成し、かつ前記ガイド部側に設けた係止手段は、前記凸部を受け入れる凹部として形成してもよい。
【発明の効果】
【００１１】
本発明では、カバー部のアンテナ近傍の内周面と、ガイド部の外周面の対応した位置とに係止手段を設けており、アンテナが衝撃を受けると、カバー部のアンテナ近傍が弾性によって変形し、それによって係止手段が相互に係合するので、感知ヘッドの逆回動が確実に防止できる。
【００１２】
特に、係止手段は、カバー部が外力によって押圧され円筒ガイド部に向かって弾性変形することで、前記カバー部側に設けた係止手段が、前記ガイド部側に設けた係止手段に係合する構成では、前記カバー部が弾性変形していない状態では、係止手段が係合状態にはなっていない。従って、感知ヘッドの装着、あるいは取り外しの際に余計な力が不要なため、作業に負担が掛からない。
【００１３】
また、カバー部の係止手段は凸部とし、前記ガイド部側の係止手段は凹部とすれば、形状が簡単なため製造が容易になる。
【図面の簡単な説明】
【００１４】
【図１】実施例の斜視図である。
【図２】実施例の側面図である。
【図３】実施例の横断面図である。
【図４】実施例の横断面部分拡大図である。
【図５】弾性変形した実施例の横断面部分拡大図である。
【図６】他の実施例の横断面部分拡大図である。
【図７】弾性変形した他の実施例の横断面部分拡大図である。
【発明を実施するための形態】
【００１５】
以下、本発明の実施例を図に従って説明する。実施例の感知器１は、無線によって制御信号を相互に伝送することで、連動して警報を出力する火災警報システムを構成し、いずれかの感知器１が監視対象、例えば煙濃度等の異常を検知すると、自ら警報を出力すると共に他の感知器１に連動指令信号を伝送することで、連動して警報を出力させる基本機能を有している。また、システムの感知器１が連動して警報を出力しているときに、いずれかの感知器１で警報停止操作がなされると、操作がなされた感知器１は、警報を停止する共に、他の感知器１に警報停止指令を伝送することで、警報を停止させるようになっている。
【００１６】
図１、図２に図示した感知器１は、壁面あるいは天井面に設置される円盤型のワイヤレス感知器１で、感知ヘッド１１と、感知ヘッド１１の回動を案内する円筒形のガイド部２３を有した取付ベース２１とから構成されている。
【００１７】
感知ヘッド１１は、弾性を有した合成樹脂等からなる円筒形のカバー部１２を有し、カバー部１２には、火災要因の異常を検知する検知部１３、警報停止操作を受け付ける操作ボタン１４、作動状態を通知する表示灯１５、警報を出力するスピーカのための通音孔１６、連動警報システムを構成する他の感知器１との間で無線通信するためのアンテナ１７等が設けられている。アンテナ１７は、通信性能を確保するために、カバー部１２に対して回動可能な構成とされる。また、カバー部１２の内部には、各種回路部品を実装した回路基板、電池電源等が収容されている。
【００１８】
検知部１３は、空気の流通を許容しつつ遮光するラビリンス壁に囲まれた検知空間内に発光部と受光部を適宜配置した構成で、発光部から照射された光が煙粒子によって反射された反射光を受光部で光電変換して検知信号として出力する。なお、ラビリンス壁の外側には保護防虫カバーが取り付けられている。
【００１９】
取付ベース２１は、その底面に固定用のタッピングネジ３１を挿通させるネジ穴２２が形成されており、底面の周縁には、感知ヘッド１１の回動を案内する円筒形のガイド部２３が形成されている。
【００２０】
感知ヘッド１１は、取付ベース１２に着脱可能に係合保持されるが、その係合保持手段として、感知ヘッド１１のカバー部１２、取付ベース２１のガイド部２３には、特許文献１に類似した係合凸部１８、係合凹部２４がそれぞれ形成されている。感知ヘッド１１の装着は、カバー部１２がガイド部２３に外嵌した状態となるように、感知ヘッド１１を取付ベース２１に被せて所定方向に回動させるだけよく、これによって、係合凸部１８が係合凹部２４に係合保持される。なお、本発明では、感知ヘッド１１を取付ベース２１に被せて回動させれば係合保持される構造を前提としているが、係合凸部１８、係合凹部２４の形状に制限はない。もちろん、感知ヘッド１１側に係合凹部２４を設け、取付ベース側に係合凸部１８を設けていてもよい。
【００２１】
特に、アンテナ１７を備えた感知器１では、そのアンテナ１７部が掃除道具等の器具の衝突によって感知ヘッド１１を回動させるような衝撃を受けやすいが、本発明では、そのような衝撃を受けても感知ヘッド１１が脱落しないように、カバー部１２のアンテナ１７近傍の内周面と、ガイド部２３の外周面の対応した位置とに、感知ヘッド１１の係合保持位置からの逆回動を防止する係止手段２を形成している。
【００２２】
係止手段２は、カバー部１２が、衝撃によって押圧されガイド部２３に向かって弾性変形することで、相互に係合する。すなわち、感知ヘッド１１のアンテナ１７が器物の衝突によって衝撃を受けると、カバー部１２のアンテナ１７近傍が一時的に弾性変形して、カバー部１２の内周面がガイド部２３の外周面に近接、接触する。それに伴って、カバー部１２側の係止手段２と、ガイド部２３側の係止手段２とが相互に係合した状態になる。その際、衝撃が大きいほど、ガイド部２３の変形量も大きくなり、係止手段２がより強く係合するので、感知ヘッド１１が一層脱落し難くなる。なお、衝撃がなくなれば、カバー部１２は元の形状に戻るので、係止手段２の係合は解除される。このように、カバー部１２のアンテナ１７近傍が弾性によって変形すればするほど、カバー部１２側の係止手段２と、ガイド部２３側の係止手段２とがより強固に係合し合うので、感知ヘッド１１の逆回動が確実に防止できる。
【００２３】
図４の例では、カバー部１２側の係止手段２は、内周面をアンテナ１７近傍で肉厚薄くし、その薄くした領域である容易変形部３の中程に突条として形成している。突条は、縦断面が三角形であり、突条の高さは、カバー部１２の内周面における他部分の厚みを超えないようにしている。一方、ガイド部２３側の係止手段２は、ガイド部２３の外周面の対応した位置に突条を受け入れる溝として形成されている。変形容易部３は弱い外力でも容易に弾性変形するため本発明の効果が顕著に発揮できる。また、係止手段２の形状は簡単なので、その製造も容易である。なお、突条は逆回動時に溝に当接する側をより急峻な斜面とすることで、感知ヘッド１１の逆回動を効果的に防止できる。
【００２４】
図５に示しているように、この係止手段２は、カバー部１２のアンテナ１７近傍が衝撃を受けて弾性変形したときに、突条が溝に嵌入し係合することで作用する。また、感知ヘッド１１の装着、あるいは取り外し作業の際には作用しないので、余計な力が不要であり、作業に負担が掛からない。
【００２５】
図６の変形例では、感知ヘッド１１のカバー部１２の内周面と、取付ベース２１のガイド部２３の外周面との間に隙間を持たせている。この例の係止手段２は、感知ヘッド１１のカバー部１２の内周面に形成した突条と、取付ベース２１のガイド部２３の外周面に形成した溝とで構成されている。カバー部１２の内周面とガイド部２３の外周面との間の隙間は、静止状態では一定に保持される。
【００２６】
図７に示しているように、感知ヘッド１１のカバー部１２のアンテナ１７近傍が衝撃を受けて弾性変形すると、カバー部１２の内周面が、ガイド部２３の外周面に接近、接触するため、係止手段２を構成する突条と溝とが係合して、感知ヘッド１１の逆回動を防止するのは、図４の例と同様である。
【００２７】
なお、図４、図６の例では、係止手段２を構成する突条、溝を１組としているが、これに限定されるわけではなく、２組以上であってもよい。
【符号の説明】
【００２８】
１    感知器
２    係止手段
１１  感知ヘッド
１２  カバー部
１７  アンテナ
２１  取付ベース
２３  ガイド部
【図１】
2010191703.tif 000003
【図２】
2010191703.tif 000004
【図３】
2010191703.tif 000005
【図４】
2010191703.tif 000006
【図５】
2010191703.tif 000007
【図６】
2010191703.tif 000008
【図７】
2010191703.tif 000009